(57)【要約】【課題】  本発明は、使用者が楽な姿勢で収納物を出し入れ可能な可動棚を備え、可動棚が引き出された状態においても、洗顔、洗髪行為の邪魔にならない洗面化粧台を提供することを目的としている。【解決手段】  上記目的を達成するために、本発明は、上部に洗面ボウル部を有する洗面台と、前記洗面台の前面よりも後方且つ上方に配置され、前面に鏡が取り付けられたキャビネットと、を備えた洗面化粧台であって、前記鏡の下部に設けられ、前記キャビネットの内部に収納された状態から、前記キャビネットの前方に飛び出した状態に移動可能な可動棚と、を備え、前記可動棚は、前記キャビネットの内部にある状態よりも、前記キャビネットの前方に飛び出した状態にあるときの方が、幅方向において、洗面ボウル部の中央から離れた側に配置されるようにしたことを特徴としている。【選択図】  図２
2011239935.tif 000002
【特許請求の範囲】
【請求項１】
上部に洗面ボウル部を有する洗面台と、前記洗面台の前面よりも後方且つ上方に配置され、前面に鏡が取り付けられたキャビネットと、を備えた洗面化粧台であって、
前記鏡の下部に設けられ、前記キャビネットの内部に収納された状態と、前記キャビネットの前方に飛び出した状態となりうる可動棚と、を備え、
前記可動棚は、前記キャビネットの内部に収納された状態よりも、前記キャビネットの前方に飛び出した状態にあるときの方が、幅方向において、洗面ボウル部の中央から離れた側に配置されるようにしたことを特徴とする洗面化粧台。
【請求項２】
前記可動棚は、斜め手前側に引き出されることを特徴とする請求項１記載の洗面化粧台。
【請求項３】
前記可動棚は、鉛直状の回動軸を中心に水平方向に回動可能であり、
前記キャビネットの前方に飛び出した状態にある時の前記可動棚の横幅が、前記キャビネットの内部に収納された状態における時の前記可動棚の横幅よりも小さくなるように可動棚が回動することを特徴とする請求項１記載の洗面化粧台。
【請求項４】
前記可動棚は、幅方向において前記キャビネットの側端部よりも外方側に飛び出さないように移動が規制される移動規制手段を備えていることを特徴とする請求項１〜３のいずれか１項に記載の洗面化粧台。
【発明の詳細な説明】
【技術分野】
【０００１】
本発明は、洗面化粧台に係り、特に、小物を収納可能な引出しを備えた洗面化粧台に関する。
【背景技術】
【０００２】
従来から、洗面化粧台は、洗面台の上方に収納室を有するキャビネットが配置され、このキャビネットの前面に鏡が取り付けられたものが一般的となっている。また、このような従来の洗面化粧台には、例えば、特許文献１に記載されているように、鏡の下部で、キャビネットの内部に収納された状態から前方側に引き出して使用可能な引出しが設けられているものが知られている。
【先行技術文献】
【特許文献】
【０００３】
【特許文献１】特開２００７−９７９４９号公報
【発明の概要】
【発明が解決しようとする課題】
【０００４】
上述した特許文献１に記載されている従来の洗面化粧台においては、引出しが手前側に移動してくるため、楽な姿勢で収納物を引出しから出し入れすることができる。
【０００５】
しかしながら、上述した従来の洗面化粧台では、キャビネットの幅方向の中央に引出しが設けられており、この引出しは収納された状態から水平方向前方に真っ直ぐに引き出して使用するものである。そのため、洗面ボウルの直上に引出しが引き出されることになり、引出しが引き出された状態で洗面ボウル部の上方で洗顔や洗髪を行う際には、引出しが邪魔になるという問題があった。
【０００６】
そこで、本発明は、上述した問題を解決するためになされたものであり、使用者が楽な姿勢で収納物を出し入れ可能な可動棚を備え、可動棚が引き出された状態においても、洗顔、洗髪行為の邪魔にならない洗面化粧台を提供することを目的としている。
【課題を解決するための手段】
【０００７】
上記目的を達成するために、本発明は、上部に洗面ボウル部を有する洗面台と、前記洗面台の前面よりも後方且つ上方に配置され、前面に鏡が取り付けられたキャビネットと、を備えた洗面化粧台であって、前記鏡の下部に設けられ、前記キャビネットの内部に収納された状態と、前記キャビネットの前方に飛び出した状態となりうる可動棚と、を備え、前記可動棚は、前記キャビネットの内部に収納された状態よりも、前記キャビネットの前方に飛び出した状態にあるときの方が、幅方向において、洗面ボウル部の中央から離れた側に配置されるようにしたことを特徴としている。
このように構成された本発明の洗面化粧台においては、可動棚をキャビネットの前方に移動させることができるため、使用者が楽な姿勢で収納物を出し入れすることができる。また、可動棚は、キャビネットの内部に収納された状態よりも、キャビネットの前方に飛び出した状態にあるときの方が、幅方向において、洗面ボウル部の中央から離れた側に配置されるようにしたため、真っ直ぐ手前側に引き出される従来の洗面化粧台に比べて、可動棚が引き出された状態においても、可動棚が邪魔になることなく洗顔、洗髪行為を行うことができる。また、キャビネットの内部に収納された状態にあるときの可動棚は、引き出された状態にある時に比べて、洗面ボウル部の幅方向の中央に近い位置に配置されているため、使用者は楽に可動棚を出し入れすることができる。
【０００８】
本発明において、前記可動棚は、斜め手前側に引き出されることが好ましい。  このように構成された本発明の洗面化粧台においては、可動棚の引き出し量に比例して、可動棚が洗面ボウル部から幅方向に離れた位置に移動することになるため、可動棚を大きく引き出すことにより、幅方向において可動棚を大きく洗面ボウル部の中央から離すことができる。
【０００９】
本発明において、前記可動棚は、鉛直状の回動軸を中心に水平方向に回動可能であり、前記キャビネットの前方に飛び出した状態にある時の前記可動棚の横幅が、前記キャビネットの内部に収納された状態における時の前記可動棚の横幅よりも小さくなるように可動棚が回動することが好ましい。
このように構成された本発明の洗面化粧台においては、レール機構やアーム機構を用いて可動棚を洗面ボウル部から幅方向に離れた位置に移動する場合に比べて、極めて簡易的な機構で達成することができる。
【００１０】
本発明において、前記可動棚は、幅方向において前記キャビネットの側端部よりも外方側に飛び出さないように移動が規制される移動規制手段を備えていることが好ましい。
このように構成された本発明の洗面化粧台においては、洗面化粧台が部屋のコーナーに設置される場合であっても、洗面化粧台の側面側に位置する室内壁面と可動棚とが干渉しないため、あらゆる場所に洗面化粧台が設置された場合であっても、対応することができる。
【発明の効果】
【００１１】
本発明によれば、使用者が楽な姿勢で収納物を出し入れ可能な可動棚を備え、可動棚が引き出された状態においても、洗顔、洗髪行為の邪魔にならない洗面化粧台を提供することができる。
【図面の簡単な説明】
【００１２】
【図１】本発明の第１の実施形態による洗面化粧台を示す斜視図である。
【図２】本発明の第１の実施形態の洗面化粧台において可動棚が収納された状態と引き出された状態を示す上面図である。
【図３】本発明の第２の実施形態の洗面化粧台において可動棚が収納された状態と引き出された状態を示す上面図である。
【図４】本発明の第３の実施形態の洗面化粧台において可動棚が収納された状態と引き出された状態を示す上面図である。
【図５】本発明の第３の実施形態に係る可動棚の部分的な斜視図である。
【図６】本発明の第３の実施形態に係る可動棚の分解斜視図である。
【図７】本発明の第３の実施形態に係る可動棚を裏面側から見た図である。
【図８】従来の洗面化粧台の可動棚を示す従来例である。
【発明を実施するための形態】
【００１３】
以下、添付図面を参照した本発明の洗面化粧台の実施形態について説明する。
図１は本発明の第１の実施形態による洗面化粧台を示す斜視図であり、図２（ａ）は第１の実施形態の洗面化粧台において可動棚が収納された状態を示す上面図であり、図２（ｂ）は第１の実施形態の洗面化粧台において可動棚が前方側に飛び出した状態を示す上面図である。
【００１４】
図１に示すように、本実施形態の洗面化粧台は、上部に洗面ボウル部１とカウンター部２とを有する洗面台３と、洗面台３の前面より後方であって、且つ洗面台３よりも上方に配置され、内部に収納室が形成されたキャビネットＣＢとを備えている。キャビネットＣＢの前面には、収納室の前面側を解放する扉として機能する３面の化粧鏡４が横方向に並べて配置されている。図示しないが、洗面ボウル部１内に水を吐水可能なシャワー吐水装置が設けられている。
また、キャビネットＣＢの下部、すなわちキャビネットＣＢの化粧鏡４の下方には、前面側に開口した開口凹部３０が形成されており、この開口凹部３０内に収納され、前後方向に移動可能な可動棚ＲＣが設けられている。尚、本実施形態では、可動棚ＲＣはキャビネットＣＢの幅方向の端部側に配置されている。
また、可動棚ＲＣには、眼鏡やコンタクトレンズケースなどの小物が収納できるようにトレイ部１２が形成されている。
【００１５】
図２（ａ）に示すように、不使用時の可動棚ＲＣは、キャビネットＣＢ下部の開口凹部３０内に収納されており、美観性を高めるために、可動棚ＲＣの前面が隣接するキャビネットＣＢの前面と面一となるように配置されている。この時、可動棚ＲＣは、幅方向において洗面ボウル部１と干渉する位置に配置されている。
一方、図２（ｂ）に示すように、使用時の可動棚ＲＣは、洗面ボウル部１の幅方向の中心から離れるように斜め手前側に引き出される。図示しないが、キャビネットＣＢの開口凹部３０内には可動棚ＲＣを手前側に引き出すための可動レールが斜め方向に向けて多段状に設けられている。この時、可動棚ＲＣは、幅方向において洗面ボウル部１と干渉しない位置に配置されている。
つまり、洗面ボウル部１の中心線と収納された状態における可動棚ＲＣとの幅方向の最短距離Ｌ１よりも、洗面ボウル部１の中心線と引き出された状態における可動棚ＲＣとの幅方向の最短距離Ｌ２の方が大きくなるように、可動棚ＲＣは引き出されることとなる。
【００１６】
このように本実施形態の洗面化粧台においては、可動棚ＲＣをキャビネットＣＢの前方に移動させることができるため、使用者は楽な姿勢で収納物を出し入れすることができる。また、可動棚ＲＣは、キャビネットＣＢの内部にある状態よりも、キャビネットＣＢの前方に飛び出した状態にあるときの方が、幅方向において、洗面ボウル部１の中央から離れた側に配置されるようにしたため、真っ直ぐ手前側に引き出される従来の洗面化粧台に比べて、可動棚ＲＣが引き出された状態においても、可動棚ＲＣが邪魔になることなく洗顔、洗髪行為を行うことができる。
【００１７】
また、このように本実施形態の洗面化粧台においては、可動棚ＲＣの収納量を大きくしたい場合に特に有効である。
一般的に、可動棚ＲＣの収納量を大きくするためには、可動棚ＲＣの深さを大きくする方法、可動棚ＲＣの奥行きを大きくする方法、可動棚ＲＣの横幅を大きくする方法の３つが考えられる。１つ目の可動棚ＲＣの深さを大きくする方法は、化粧鏡４の下端位置が高くなるか、若しくはキャビネットＣＢと洗面ボウル部１およびカウンター部２との間の高さが小さくなるかするため好ましくない。２つ目の可動棚ＲＣの奥行きを大きくする方法は、可動棚ＲＣを収納するためにキャビネットＣＢの奥行きも大きくする必要が生じ、結果として洗面台３の前面とキャビネットＣＢの前面との間の奥行きが小さくなるため好ましくない。一方、３つ目の可動棚ＲＣの横幅を大きくする方法は、上記２つの方法のような欠点がないため、洗面行為に支障が出ない最も理想的な収納量を増加する方法と考えられる。しかし、可動棚ＲＣの横幅が大きくなることは、可動棚ＲＣを引き出した際に洗面ボウル部１の上方空間と、より干渉する確率が高くなる。例えば、図８（ａ）に示す従来の可動棚のように、真っ直ぐ手前側に引き出されるものでは、洗顔や洗髪を行う際に、極めて可動棚が邪魔になる。
ところが、本発明によれば、収納量を増やすべく可動棚Ｒの横幅を大きくした場合であっても、可動棚ＲＣは、洗面ボウル部１の中央から離れるように引き出されるため、引き出した状態であっても洗面ボウル部１の上方空間と、干渉する確率を低くすることができる。
【００１８】
また、このように本実施形態の洗面化粧台においては、間口の小さい洗面化粧台の場合には特に有効である。これは、間口の小さい洗面化粧台の場合、収納状態にある可動棚ＲＣを幅方向のどの位置（例えば、最も邪魔になりにくいキャビネットＣＢの幅方向の端部側）に設けた場合であっても、図８（ｂ）に示す従来の可動棚のように、真っ直ぐ手前側に引き出されるものでは、洗顔や洗髪を行う際に、極めて可動棚が邪魔になる。
ところが、本発明によれば、間口の小さい洗面化粧台であっても、可動棚ＲＣは、洗面ボウル部１の中央から離れるように引き出されるため、引き出した状態であっても洗面ボウル部１の上方空間と、干渉する確率を低くすることができる。
【００１９】
次に、本発明の第２の実施形態について、図３を用いて説明する。図３（ａ）は第２の実施形態の洗面化粧台において可動棚ＲＣが収納された状態を示す上面図であり、図３（ｂ）は第２の実施形態の洗面化粧台において可動棚ＲＣが前方側に飛び出した状態を示す上面図である。
第２の実施形態では、収納状態にある可動棚ＲＣが、キャビネットＣＢの幅方向中央に設けられている点が第１の実施形態とは異なる。また、最大限、引き出された状態における可動棚ＲＣが、キャビネットＣＢの側端部よりも外方側に飛び出さないように移動が規制されている点が第１の実施形態とは異なる。
【００２０】
このように本実施形態の洗面化粧台においては、第１の実施形態の効果に加え、収納状態にある可動棚ＲＣを手前側に引き出す際に、洗面ボウル部１の中心に立つ使用者から、比較的近い位置にあるため、使用者は楽な姿勢で可動棚を引出し操作することができる。
【００２１】
また、このように本実施形態の洗面化粧台においては、可動棚ＲＣを最大限引き出した状態であっても、キャビネットＣＢの側端部よりも外方側に飛び出さないように移動が規制されているため、洗面化粧台が部屋のコーナーに設置される場合であっても、洗面化粧台の側面側に位置する室内壁と可動棚ＲＣとが干渉しないため、あらゆる場所に洗面化粧台が設置された場合であっても、対応することができる。
【００２２】
次に、本発明の第３の実施形態について、図４〜図７を用いて説明する。図４（ａ）は第３の実施形態の洗面化粧台において可動棚ＲＣが収納された状態を示す上面図であり、図４（ｂ）は第３の実施形態の洗面化粧台において可動棚が前方側に飛び出した状態を示す上面図である。
第３の実施形態では、可動棚ＲＣが鉛直状の回動軸を中心に水平方向に回動可能であり、収納状態にある時の可動棚ＲＣの横幅が奥行きよりも大きく形成され、且つキャビネットＣＢの前方に飛び出した状態にある時の可動棚ＲＣの横幅が、キャビネットＣＢの内部に収納された状態における時の可動棚ＲＣの横幅よりも小さくなるように可動棚ＲＣが回動する点が第１の実施形態とは異なる。また、最大限、手前側に回動された状態における可動棚ＲＣが、キャビネットＣＢの側端部よりも外方側に飛び出さないように移動が規制されている点が第１の実施形態とは異なる。
【００２３】
このように本実施形態の洗面化粧台においては、第１の実施形態の効果に加え、多段式のレール機構やアーム機構を用いて可動棚ＲＣを洗面ボウル部１から幅方向に離れた位置に移動する場合に比べて、極めて簡易的な機構で達成することができる。
【００２４】
また、本実施形態の洗面化粧台においては、収納状態にある時の可動棚ＲＣの横幅が奥行きよりも大きく形成されているため、極めて簡易的な構造で、より手前側に可動棚ＲＣの前端部を配置することができるため、使用者は楽な姿勢で可動棚から小物の出し入れが可能となる。さらに、キャビネットＣＢの内部に収納された状態にあるときの可動棚ＲＣの、回転軸とは逆側の側端部は、引き出された状態にある時に比べて、洗面ボウル部１の幅方向の中央に近い位置に配置されているため、使用者は楽な姿勢で可動棚ＲＣを操作することができる。
【００２５】
また、このように本実施形態の洗面化粧台においては、可動棚ＲＣを最大限回動した状態であっても、キャビネットＣＢの側端部よりも外方側に飛び出さないように回動が規制されているため、洗面化粧台が部屋のコーナーに設置される場合であっても、洗面化粧台の側面側に位置する室内壁と可動棚ＲＣとが干渉しないため、あらゆる場所に洗面化粧台が設置された場合であっても、対応することができる。
【００２６】
次に、第３に実施形態に係る可動棚ＲＣについて、図５〜図７を参照して、詳細に説明する。図５は、キャビネットＣＢに取り付けられた可動棚ＲＣ近傍を説明するための部分的な斜視図である。図５に示すように、可動棚ＲＣは、キャビネットＣＢから飛び出させて内部に収容された小物の出し入れをすることが可能なように構成されている。
【００２７】
可動棚ＲＣは、箱状のトレイ部１２と、収納状態においてトレイ部１２の前方に取り付けられている板状の隠蔽部１０とから構成されている。トレイ部１２は、キャビネットＣＢの手前側から奥側に凹むように設けられた開口凹部３０に収容され小物を納めることが可能なものである。隠蔽部１０は、収納状態においてトレイ部１２の手前側に設けられ、開口凹部３０の手前側開口部を覆うことができるように構成されている。トレイ部１２が凹部３０内に収容された状態において、隠蔽部１０は開口凹部３０を覆うと共に、キャビネットＣＢのキャビネット前板３２と面一になるように構成されている。
【００２８】
可動棚ＲＣの水平方向における一端側と開口凹部３０とが接する領域には、トレイ部１２及び隠蔽部１０の一端側を回動可能に軸支し、トレイ部１２を開口凹部３０に対して収容し引き出すことを可能とする回動支持手段が設けられている。尚、開口凹部３０とキャビネット前板３２との間にはラッチ３２ａが配置されている。ラッチ３２ａは、トレイ部１２が開口凹部３０内に収容されるように可動棚ＲＣが回転されると、隠蔽部１０に設けられた係合突起（図に明示しない）を挟み込んで保持するように構成されている。この状態から隠蔽部１０を押し込むと保持状態が解除され、可動棚ＲＣが前方に回動可能なように構成されている。
【００２９】
図６は、図５に示す可動棚ＲＣ近傍の分解斜視図である。図６に示すように、キャビネットＣＢの開口凹部３０よりも外側に形成されている軸受固定板３８には軸受部５０が取り付けられている。軸受部５０は、２本の固定ネジ５２で軸受固定板３８に固定されている。軸受部５０には上下に離隔した一対の固定部５０１が設けられている。固定部５０１は断面がＣ字状を成していて、縦軸部１４を挟み込むことが可能なように構成されている。縦軸部１４は、可動棚ＲＣの隠蔽部１０の裏面に設けられた縦軸保持部によって保持されている。
【００３０】
図７は、図５に示す可動棚ＲＣを裏面側から見た図である。図７に示すように、開口凹部３０の手前側開口部の上部には、上下方向に延びる立壁部３４が設けられている。一方、可動棚ＲＣのトレイ部１２の後方には、上方向に突出する突起部１２１が設けられている。開口凹部３０から可動棚ＲＣを手前側に引き出すと、突起部１２１が立壁部３４に当接して可動棚ＲＣがそれ以上前方に回動しないように規制する。従って、立壁部３４及び突起部１２１は、可動棚ＲＣの上部と開口凹部３０とが接する領域に設けられ、可動棚ＲＣの前後方向の動きを規制する移動規制手段として機能している。
【符号の説明】
【００３１】
１…洗面ボウル部、２…カウンター部、３…洗面台、４…化粧鏡、１０…隠蔽部、１２…トレイ部、３０…開口凹部、ＣＢ…キャビネット、ＲＣ…可動棚
【図１】
2011239935.tif 000003
【図２】
2011239935.tif 000004
【図３】
2011239935.tif 000005
【図４】
2011239935.tif 000006
【図５】
2011239935.tif 000007
【図６】
2011239935.tif 000008
【図７】
2011239935.tif 000009
【図８】
2011239935.tif 000010